(57)【特許請求の範囲】
【請求項１】
透明の合成樹脂の素材に水切り穴をあけた筒全体を，小蟹小魚捕獲具本体（１）とし，外側の固定筒（２）の内側を回転筒（１５）が，左右に９０度回転するようにして，縦長開放部（１６）を上下に分けて１列と，それをもう１列均等間隔で合せて２列を設け，固定筒（２）の縦長開放部（４）も同様の構造にして，回転筒（１５）を平面から見て，扇状の固定部（１７）を，２枚の透明合成樹脂の細い部分同士で固定し，中間に穴をあけて開閉誘導棒（１８）を通して接する部分を固定し，扇状の太い部分の両端は回転筒（１５）の上部内側に固定し，開閉誘導棒（１８）の上部にはグリップ（２０）を固定させ，開閉ストッパー（５）を固定筒（２）の上部内側に２箇所に設け，固定筒（２）の上下外側を，雄ネジとして，上部固定キヤップ（７）と下部固定キヤップ（８）の内側は雌ネジとしてそれぞれを固定し，更に外れないように固定キヤッププラスネジ（９）で固定し，上部固定キヤップ（７）の中心部と，開閉誘導棒（１８）の接する部分は固定せずに回転出来るようにして，開閉誘導棒（１８）の下部には，餌挟み（１３）を設けたことを特徴とする小蟹小魚捕獲具。
【発明の詳細な説明】
【技術分野】
【０００１】
本発明は，子供達が海辺の岩やテトラポット周辺に集まる小蟹小魚を捕獲する捕獲具に関する。
【背景技術】
【０００２】
従来，子供たちが海辺で小さな釣竿や小網を持って小蟹・小魚を捕獲するため熱心に頑張るが中々思うように捕獲できないのが実情である。
本発明では，逃げる小蟹小魚を追いかけるのではなく，餌を与えて捕獲する事にした。
餌を与えて捕獲する方が成功率は高い。特許文献１，特開２００６−１６６８８６号公報（魚類捕獲具），特許文献２，特許５２９１２４２号公報（小蟹小魚捕獲具）が公報に記載されているが，構造の違いが大きい。
【先行技術文献】
【特許文献】
【０００３】
【特許文献１】特開２００６−１６６８８６号公報
【特許文献２】特許５２９１２４２号公報
【発明の概要】
【発明が解決しようとする課題】
【０００４】
危険の少ない浅瀬の海辺で，子供たちは海中に岩や石，海藻等のあるところに，又海辺のテトラポットの隙間に小蟹や小魚がいるのを見て，一生懸命捕獲するために小さな釣竿，小網等を持って捕獲に挑戦するが中々思うように行かない。子供たちの満足のゆく捕獲具は何とかしなければならない課題である。
本発明は，これらの問題を解決するためになされたものである。
【課題を解決するための手段】
【０００５】
透明の合成樹脂の素材に水切り穴をあけた筒全体を，小蟹小魚捕獲具本体（１）とする。外側の固定筒（２）は，側面に上下に分けて１列と，それを均等間隔でもう１列の合せて２列の縦長開放部（４）を設け，固定筒（２）の上下外側を雄ネジ（３）として，上部固定キヤップ（７）と下部固定キヤップ（８）の内側を雌ネジ（６）として固定できる構造にした。
更に外れないように固定キヤップ穴（１０）の中に固定キヤッププラスネジ（９）を入れて固定出来るようにした。
上部固定キヤップ（７）の中心部に穴をあけて開閉誘導棒（１８）が入る構造であるが，その接する部分は固定せずに左右に９０度回転出来るようにした。
又，小魚が中に入ったことを確認してグリップ（２０）を右に回転させたとき，固定筒（２）と回転筒（１５）が同時に同じ方向に回らないように下部固定キヤップ（８）の底面には，下部固定キャツプ底部トゲ（１１）を取り付けた。
【０００６】
［内側の回転筒］
透明の合成樹脂に水切り穴を開けた素材を使用し，回転筒（１５）は，上下に分けて１列と，それを均等間隔でもう１列の合せて２列の縦長開放部（１６）を設けた。
固定筒（２）の内側を，左右に９０度転回させる事が出来る構造にした。
又，回転筒（１５）を平面から見て２枚の透明合成樹脂の細い部分同士で固定し，中間に穴をあけて開閉誘導棒（１８）をいれて，接する部分を固定した。
更に，扇状の固定部（１７）を回転筒（１５）の上部内側と完全固定した。
固定筒（２）の縦長開放部（４）と内側の回転筒（１５）の縦長開放部（１６）が同位置になったところで，小魚が中に入れるようにする。
小魚が中に入ったら開放部を閉鎖出来るように，小蟹小魚を捕獲するための開閉ストッパー（５）を２箇所に設けた。
開閉ストッパー（５）に扇状の固定部（１７）がぶつかって止まる。従って，左に回転させると縦長開放部（１６）は全開する。右に回転させると閉鎖する。
【０００７】
［その他の装置］
開閉誘導棒（１８）の上部外側は雄ネジ（１９）として，グリップ（２０）の内側はグリップ雌ネジ（２１）と固定し，更にグリップネジ穴（２２）からグリップ固定プラスネジ（２３）を入れて固定する。
又，開閉誘導棒（１８）は，開閉誘導棒分解部（１２）を設け，上部は雌ネジ，下部は雄ネジとしてあるため，長くて邪魔なときは中間から取り外せる構造である。
又，最下部には餌挟みを設けた。
【発明の効果】
【０００８】
（イ）子供でも女性でも誰でも自由に操作できる構造であるから家族で楽しめる。
（ロ）網を持って追いかけるのではなく，隠れている小蟹小魚等に餌を与えて捕獲する方が成功率が高い。
（ハ）釣針が外れて魚が海中に逃げた等の心配はなく，筒の中に入ると縦長開口部が同時に２列閉鎖するために逃げられない。
（ニ）釣り針を使わないため，子供が針を手などに刺して困ることはない。
【図面の簡単な説明】
【０００９】
【図１】縦長開放部と上下固定キヤップが開いている状態の正面斜視図
【図２】全てを取り付けて縦長開放部が閉じている状態の正面斜視図
【図３】固定筒の正面図
【図４】回転筒の正面図
【図５】グリップと開閉誘導棒を分解した説明図
【図６】平面から見た固定筒・回転筒・ストッパー・扇状の固定部の説明図
【図７】扇状の固定部の拡大説明図
【図８】「Ａ」下部固定キヤップ底部説明図  「Ｂ」下部固定キャッ内部説明図
【発明を実施するための形態】
【００１０】
以下，本発明を実施するための最良の形態について説明する。
一番外側の固定筒（２）の上下外側をネジ状にして雄ネジ（３）とした。
更に上部固定キヤップ（７）の内側と下部固定キヤップ（８）の内側を雌ネジとして，
固定筒（２）と雄雌ネジで固定した後で，上部固定キヤップ（７）の外側から 固定
キヤッププラスネジ（９）で固定した。
下部固定キヤップ（８）も同じ要領で固定筒（２）の下部と固定した。
回転筒（１５）を回転させるために，開閉誘導棒（１８）の上部を雄ネジとして，グリップ（２０）の内側の雌ネジ（２１）と固定した。更にグリップ（２０）から内部の 開閉誘導棒（１８）の上部グリップ固定プラスネジ（２３）で固定した。
従って，開閉誘導棒（１８）を左右に回転させる事により，回転筒（１５）の縦長開放部（１６）を開放する場合は，左に９０度回転させて，開閉ストッパー（５）にぶつかって停止する。閉鎖する場合は右に９０度回転させる。
上部固定キヤップ（７）の中央部にある穴と，開閉誘導棒（１８）との接する部分は固定せず，回転出来る構造にした。
従って，グリップ（２０）を，左に９０度又は，右に９０度の範囲で回転出来るため，回転筒（１５）は開放も，閉鎖も出来る構造である。
一番上部の小蟹小魚捕獲具本体（１）の開閉誘導棒（１８）の上部先端にグリップ（２０）を固定させてあるので，右に９０度回転させると，２列の縦長開放部（１６）は同時に閉鎖する。
小蟹小魚が中に入った事を確認出来たらグリップ（２０）を右に９０度回転させて，開閉ストッパー（５）に回転筒（１５）の扇状の固定部（１７）が接触したら開放部が閉鎖しているので，足元まであげると捕獲できる。
又，回転筒（１５）の縦長開放部（１６）を開放する時は，左に回転させて開閉ストッパー（５）に扇状の固定部（５）が接触したら水中に沈める状態である。
水切りを良くするために，固定筒（２），回転筒（１５），上部固定キヤップ（７），下部固定キヤップ（８）は，透明の合成樹脂の素材に水切りの穴をあける事が重要である。
【００１１】
使用方法について説明する。
グリップ（２０）を左に回して，縦長開放部（１６）を開放して，開閉誘導棒（１８）の下部に，餌挟み（１３）を取り付けて餌（１４）を挟んで，グリップ（２０）を握って海水に沈めて，待つこととする。小蟹小魚は餌に気づき，獲物を捕らえようとして，よってくる。
筒の中に小蟹小魚が入ったら，グリップ（２０）を右に９０度回転させると，上下に分けて，縦長開放部（１６）を均等間隔で２列設けてあるので，縦長開放部（１６）が同時に閉鎖するので逃げ場を失う。
後は足元まで引き寄せて縦長開放部（１６）を開いて取り出す。
又，開閉誘導棒（１８）は，上部は雌ネジ，下部は雄ネジとしてあるため，長くて邪魔なときは中間から取り外せる開閉誘導棒分解部（１２）を設けた。
【産業上の利用可能性】
【００１２】
産業上利用できる発明である。
合成樹脂で製造した小蟹小魚捕獲具は大量生産にむいているため特に貢献度が高い。
【符号の説明】
【００１３】
１．    小蟹小魚捕獲具本体
２．    固定筒
３．    固定筒上下雄ネジ
４．    固定筒の縦長開放部
５．    開閉ストッパー
６．   上下固定キヤップ雌ネジ
７．   上部固定キャツプ
８．   下部固定キヤップ
９．    固定キヤッププラスネジ
１０．  固定キヤップ穴
１１．  下部固定キャツプ底部トゲ状の凸部
１２．  開閉誘導棒分解部
１３．  餌挟み
１４．  餌
１5．   回転筒
１６．  回転筒の縦長開放部
１７．  扇状の固定部
１８．  開閉誘導棒
１９．  開閉誘導棒雄ネジ
２０．  グリップ
２１．  グリップ内側の雌ネジ
２２．  グリップネジ穴
２３．  グリップ固定プラスネジ
【要約】
【課題】子供が網を持って，小蟹小魚を捕獲するために挑戦して頑張るが中々思うような成果があがらない。海の浅瀬にある岩・海藻のある海，又は海岸付近のテトラポットに集まる小蟹小魚に餌を与えて捕獲する小蟹小魚捕獲具を提供する 。
【解決手段】本発明の捕獲具を使用して，小魚を捕獲するために，捕獲具の中に入ったらグリップを右に回して，２列の縦長開放部を同時に閉鎖して捕獲する。釣り針を使わない，危険のない捕獲具であることを特徴とする。
【選択図】図１【図１】
0005519885.tif 000002
【図２】
0005519885.tif 000003
【図３】
0005519885.tif 000004
【図４】
0005519885.tif 000005
【図５】
0005519885.tif 000006
【図６】
0005519885.tif 000007
【図７】
0005519885.tif 000008
【図８】
0005519885.tif 000009